(57)【要約】【課題】同じ情報を繰り返し伝達するテレビジョン放送番組を後で効率よくその放送内容が把握できるように録画し、さらに当該録画した番組を効率よく再生できるようにする。【解決手段】字幕解析部（１３）は、録画対象番組の字幕情報から日付又は時刻が表現されたキーワードを抽出し、当該キーワードに基づいて、当該番組で話題となっている内容に係る日付又は時刻を表す話題時間情報を生成する。内部時計（１４）は、録画時の実際の日付又は時刻を表す実時間情報を生成する。記録部（１５）は、話題時間情報及び実時間情報とともに録画対象番組を記録媒体（１６）に記録する。再生部（１７）は、録画された放送コンテンツにおける各シーンを、当該シーンに対応付けられて記録された話題時間情報によって表される日付又は時刻の順に並べて見出し表示する。【選択図】図１
2008244790.tif 000002
【特許請求の範囲】
【請求項１】
字幕情報付きのテレビジョン放送を録画する装置であって、
録画対象番組の字幕情報から日付又は時刻が表現されたキーワードを抽出し、当該キーワードに基づいて、当該番組で話題となっている内容に係る日付又は時刻を表す話題時間情報を生成する字幕解析部と、
録画時の実際の日付又は時刻を表す実時間情報を生成する内部時計と、
前記話題時間情報及び実時間情報とともに前記録画対象番組を記録媒体に記録する記録部とを備えた
ことを特徴とする録画装置。
【請求項２】
請求項１に記載の録画装置において、
前記字幕解析部は、前記キーワードが現在又は近過去を表す所定の単語であるとき、前記実時間情報を前記話題時間情報として出力する
ことを特徴とする録画装置。
【請求項３】
請求項１に記載の録画装置において、
前記記録部は、複数の話題時間情報が同一の日付又は時刻を表す場合、前記録画対象番組における各シーンのうちこれら複数の話題時間情報のいずれか一つに対応するもののみを記録する
ことを特徴とする録画装置。
【請求項４】
請求項１に記載の録画装置によって録画された放送コンテンツを再生する装置において、
前記録画された放送コンテンツにおける各シーンを、当該シーンに対応付けられて記録された話題時間情報によって表される日付又は時刻の順に並べて見出し表示する再生部を備えた
ことを特徴とする再生装置。
【請求項５】
請求項４に記載の再生装置において、
前記再生部は、前記録画された放送コンテンツにおける各シーンのうち、当該シーンに対応付けられて記録された話題時間情報が当該シーンに対応付けられて記録された実時間情報よりも未来の日付又は時刻を表しているものについては、見出し表示しない
ことを特徴とする再生装置。
【請求項６】
字幕情報付きのテレビジョン放送を録画する方法であって、
録画対象番組の字幕情報から日付又は時刻が表現されたキーワードを抽出する第１のステップと、
前記抽出されたキーワードに基づいて、前記録画対象番組で話題となっている内容に係る日付又は時刻を表す話題時間情報を生成する第２のステップと、
録画時の実際の日付又は時刻を表す実時間情報を生成する第３のステップと、
前記話題時間情報及び実時間情報とともに前記録画対象番組を記録媒体に記録する第４のステップとを備えた
ことを特徴とする録画方法。
【請求項７】
請求項６に記載の録画方法において、
前記第１のステップでは、前記キーワードが現在又は近過去を表す所定の単語であるとき、前記第３のステップで生成された実時間情報を前記話題時間情報とする
ことを特徴とする録画方法。
【請求項８】
請求項６に記載の録画方法において、
前記第４のステップでは、複数の話題時間情報が同一の日付又は時刻を表す場合、前記録画対象番組における各シーンのうちこれら複数の話題時間情報のいずれか一つに対応するもののみを選択的に記録する
ことを特徴とする録画方法。
【請求項９】
請求項６に記載の録画方法によって録画された放送コンテンツを再生する方法において、
前記録画された放送コンテンツにおける各シーンを、当該シーンに対応付けられて記録された話題時間情報によって表される日付又は時刻の順に並べて見出し表示する第５のステップを備えた
ことを特徴とする再生方法。
【請求項１０】
請求項９に記載の再生方法において、
前記第５のステップでは、前記録画された放送コンテンツにおける各シーンのうち、当該シーンに対応付けられて記録された話題時間情報が当該シーンに対応付けられて記録された実時間情報よりも未来の日付又は時刻を表しているものについては、見出し表示しない
ことを特徴とする再生方法。
【発明の詳細な説明】
【技術分野】
【０００１】
本発明は、地上デジタル放送などの字幕情報付きのテレビジョン放送の録画再生技術に関する。
【背景技術】
【０００２】
近年のデジタル放送の普及に伴い、字幕放送に対応した録画再生機器が増えてきた。また、記録媒体の技術革新も進み、従来のテープメディアからハードディスクドライブ（ＨＤＤ）に移行しつつある。記録媒体の技術革新により、従来は２時間程度しか録画できなかったものが、数百時間もしくはそれ以上の長時間録画できるようになった。今後もＨＤＤなどの記録媒体の容量はますます増大し、より高画質で長時間の番組を数多く録画できるようになることが予想される。
【０００３】
録画可能時間が増大するにつれ、膨大な録画物の中から視聴したいコンテンツを選び出すことが困難となってきた。このため、簡単に適切なコンテンツを再生する仕組みが必要になってきた。従来、字幕放送を利用して利用者が見たいシーンを見逃さないようにするために、携帯電話機に搭載されたデジタルテレビで字幕放送を監視して、特定のキーワードを見つけた場合に、音声などの手段で利用者に通知しているものがある（例えば、特許文献１参照）。また、ＣＭをカットして再生することで視聴に要する時間を短縮する技術が公知である。
【特許文献１】特願２００４−９０８１２号公報
【発明の開示】
【発明が解決しようとする課題】
【０００４】
テレビジョン放送では同じ情報を繰り返し伝達する場合がある。また、その伝達の仕方も速報であったり、より詳細な内容であったりする。例えば、地震や台風などの災害が発生した場合には、災害発生のニュースが繰り返し放送される。さらに、災害発生時の状況と刻々変化する被害状況や二次災害の情報が混在して繰り返し放送される。このような放送番組を録画して後で再生する場合、同じ情報を繰り返し視聴することとなり、時間を浪費してしまう。
【０００５】
上記問題に鑑み、本発明は、同じ情報を繰り返し伝達するテレビジョン放送番組を後で効率よくその放送内容が把握できるように録画し、さらに当該録画した番組を効率よく再生できるようにすることを課題とする。
【課題を解決するための手段】
【０００６】
上記課題を解決するために本発明が講じた手段は、字幕情報付きのテレビジョン放送を録画する装置（録画装置）として、録画対象番組の字幕情報から日付又は時刻が表現されたキーワードを抽出し、当該キーワードに基づいて、当該番組で話題となっている内容に係る日付又は時刻を表す話題時間情報を生成する字幕解析部と、録画時の実際の日付又は時刻を表す実時間情報を生成する内部時計と、話題時間情報及び実時間情報とともに録画対象番組を記録媒体に記録する記録部とを備えたものとする。また、字幕情報付きのテレビジョン放送を録画する方法（録画方法）として、録画対象番組の字幕情報から日付又は時刻が表現されたキーワードを抽出する第１のステップと、抽出されたキーワードに基づいて、録画対象番組で話題となっている内容に係る日付又は時刻を表す話題時間情報を生成する第２のステップと、録画時の実際の日付又は時刻を表す実時間情報を生成する第３のステップと、話題時間情報及び実時間情報とともに録画対象番組を記録媒体に記録する第４のステップとを備えたものとする。
【０００７】
これによると、録画対象番組で話題となっている内容に係る日付又は時刻を表す情報（話題時間情報）が実時間情報及び当該録画対象番組とともに記録される。これにより、録画後に話題時間情報に基づいて任意の箇所から再生することができる。すなわち、同じ情報を繰り返し伝達するテレビジョン放送番組を、後で話題時間情報に基づいて効率よくその録画内容が検索できるように録画することができる。
【０００８】
上記録画装置において、字幕解析部は、キーワードが現在又は近過去を表す所定の単語であるとき、実時間情報を話題時間情報として出力することが好ましい。同様に、上記録画方法において、第１のステップでは、キーワードが現在又は近過去を表す所定の単語であるとき、第３のステップで生成された実時間情報を話題時間情報とすることが好ましい。
【０００９】
また、上記録画装置において、記録部は、複数の話題時間情報が同一の日付又は時刻を表す場合、録画対象番組における各シーンのうちこれら複数の話題時間情報のいずれか一つに対応するもののみを記録することが好ましい。同様に、上記録画方法において、第４のステップでは、複数の話題時間情報が同一の日付又は時刻を表す場合、前記録画対象番組における各シーンのうちこれら複数の話題時間情報のいずれか一つに対応するもののみを選択的に記録することが好ましい。
【００１０】
一方、本発明が講じた手段は、上記録画装置によって録画された放送コンテンツを再生する装置（再生装置）として、録画された放送コンテンツにおける各シーンを、当該シーンに対応付けられて記録された話題時間情報によって表される日付又は時刻の順に並べて見出し表示する再生部を備えたものとする。また、上記録画方法によって録画された放送コンテンツを再生する方法（再生方法）として、録画された放送コンテンツにおける各シーンを、当該シーンに対応付けられて記録された話題時間情報によって表される日付又は時刻の順に並べて見出し表示する第５のステップを備えたものとする。
【００１１】
これによると、放送コンテンツの各シーンが話題時間情報の順に見出し表示される。このため、利用者は所望の話題時間情報に対応付けられたシーンを素早く呼び出すことができる。すなわち、同じ情報を繰り返し伝達するテレビジョン放送番組の録画物を効率よく再生することができる。
【００１２】
上記再生装置において、再生部は、録画された放送コンテンツにおける各シーンのうち、当該シーンに対応付けられて記録された話題時間情報が当該シーンに対応付けられて記録された実時間情報よりも未来の日付又は時刻を表しているものについては、見出し表示しないことが好ましい。同様に、上記再生方法において、第５のステップでは、録画された放送コンテンツにおける各シーンのうち、当該シーンに対応付けられて記録された話題時間情報が当該シーンに対応付けられて記録された実時間情報よりも未来の日付又は時刻を表しているものについては、見出し表示しないことが好ましい。
【発明の効果】
【００１３】
以上のように本発明によると、同じ情報を繰り返し伝達するテレビジョン放送番組を後で効率よくその放送内容が把握できるように録画することができる。そして、当該録画した番組を効率よく再生することができる。これにより、利用者は実際の放送時間長よりも短い時間で必要な情報を取得することができる。
【発明を実施するための最良の形態】
【００１４】
以下、本発明を実施するための最良の形態について、図面を参照しながら説明する。図１は、本発明の最良の実施形態に係る録画再生装置の構成を示す。本実施形態に係る録画再生装置は、テレビジョン放送を録画する録画装置としての機能と録画された番組を再生する再生装置としての機能とを合わせ持ったものである。なお、「録画」なる用語は、単に映像のみの記録に留まらず、音声やデータなどの記録をも含む広い意味で用いている。
【００１５】
本実施形態に係る録画再生装置において、アンテナ部１１は、放送局から出力される放送波を受信する。受信・変調部１２は、アンテナ１１から放送波を受信するチューナ機能と受信波を変調するＯＦＤＭ（Orthogonal Frequency Division Multiplex）変調機能を含むものであり、受信した放送波からＴＳ（Transport Stream）データを生成する。また、受信・変調部１２は、生成したＴＳデータから字幕情報を抽出して、これを字幕解析部１３に送信する。字幕解析部１３は、受信した字幕情報から日付又は時刻が表現されたキーワードを抽出し、当該キーワードに基づいて、録画対象番組で話題となっている内容に係る日付又は時刻（話題時間）を表す話題時間情報を生成する。内部時計１４は、録画時の実際の日付又は時刻（実時間）を表す実時間情報を生成する。内部時計１４は、クウォーツなどを用いて構成可能である。記録部１５は、字幕解析部１３及び内部時計１４からそれぞれ話題時間情報及び実時間情報を受け、これら情報とともに、受信・変調部１２で生成されたＴＳデータを記録媒体１６に記録する。記録媒体１６は、フラッシュメモリなどの不揮発性メモリを搭載したメモリカード、ＤＶＤ（Digital Versatile Disc）などの記録ディスク、ＨＤＤなどの記録媒体などである。記録媒体１６に記録された番組は利用者によって削除されない限りデータとして残る。これが放送コンテンツの録画である。
【００１６】
また、本実施形態に係る録画再生装置において、再生部１７は、記録媒体１６から録画された放送コンテンツを読み出してデコードして映像信号及び音声信号を生成する。このとき、再生部１７は、録画された放送コンテンツにおける各シーンを、当該シーンに対応付けられて記録された話題時間情報によって表される日付又は時刻の順に並べて見出し表示する。出力インタフェース１８は、液晶ディスプレイやプラズマディスプレイなどの画像デバイス及びスピーカやヘッドホンなどの音声デバイスを含むものであり、生成された映像信号を表示するとともに音声信号を音に変換する。入力インタフェース１９は、利用者からの指示を受け付け、これを記録部１５に伝達する。
【００１７】
次に、本実施形態に係る録画再生装置の動作についてフローチャートを参照しながら説明する。図２は、録画処理のフローを示す。録画指示（Ｓ１１）がされることで録画処理が開始される。録画指示は入力インタフェース１９やネットワーク（不図示）を介して手動で行ったり、事前に予約して自動で行ったりすることができる。事前予約では、録画開始時間や放送局の情報を入力インタフェース１９を介して入力してもよいし、電子番組表（ＥＰＧ）、Ｇコード、バーコードなどの番組情報を入力してもよい。また、録画再生装置が、利用者に意思がなくても自動的に録画を開始できる機能を有していれば、その録画指示も含む。この事前予約型の録画の場合には、録画開始時間になると自動的に録画指示がされる。録画指示（Ｓ１１）がされると録画対象番組の受信が開始される（Ｓ１２）。そして、受信を確認してから録画が開始される（Ｓ１３）。録画対象番組を受信している状態から録画指示（Ｓ１１）をする場合には、ステップＳ１１とステップＳ１２の順番が入れ替わってもよい。
【００１８】
録画が開始されると、受信・変調部１２によって作成されたＴＳファイルが記録媒体１６に記録される。ＴＳファイルには、放送コンテンツの画像や音声やデータ放送や字幕情報などが含まれている。ＴＳファイルを保存することで放送番組を録画することができる。そして、ステップＳ１１でされた録画指示が解除されるまで録画処理を繰り返し行う（ステップＳ１４からステップＳ１７）。録画解除の指示は、入力インタフェース１９やネットワーク（不図示）を介して手動で行ったり、予約録画の場合には終了時刻になってから自動で行ってもよい。また、録画再生装置がバッテリーで動作している場合におけるバッテリーの残量不足、記録媒体１６の記憶容量不足などにより、録画再生装置が自己判断によって自動的に行ってもよい。
【００１９】
録画対象番組の字幕情報は字幕解析部１３によって解析され、日付又は時刻が表現されたキーワードが抽出されると（Ｓ１４のＹＥＳ肢）、当該キーワードに基づいて話題時間情報が生成される（Ｓ１５）。緊急警告放送など長時間にわたる生放送では、アナウンサや記者がニュース記事を読み上げている模様が放送される。字幕はその読み上げた音声をたどる形で付けられるため、字幕情報を解析することで音声を解析しているのと同じ効果が得られる。
【００２０】
例えば、「本日午後９時に東海沖の日本海で非常に大きい地震がありました。」という字幕情報では、「本日午後９時」なる部分が日付又は時刻が表現されたキーワードに該当する。そして、当該放送の実際の放送時間が「２００６年２月１４日１１時１５分００秒」であったとすると、「本日」及び「午後９時」というキーワードから、話題となっている日付及び時刻がそれぞれ「２００６年２月１４日」及び「２１時」であることがわかる。したがって、この場合において、話題時間情報に係る日付又は時刻は「２００６年２月１４日２１時」となる。字幕情報に「先月」というキーワードが含まれていれば話題時間情報に係る日付は「１月」となり、「昨年」というキーワードが含まれていれば話題時間情報に係る日付は「２００５年」となる。時刻は２４時間表記及び１２時間表記のいずれでもよい。
【００２１】
また、字幕情報に「ただいま」や「さきほど」といった現在又は近過去を表すキーワードが含まれていた場合、字幕解析部１３は、内部時計１４によって生成された実時間情報を話題時間情報として出力する。例えば、「ただいま」や「さきほど」といったキーワードを含む字幕情報が放送された実際の日付又は時刻が「２００６年２月１４日１１時１５分００秒」であったとすると、「２００６年２月１４日１１時１５分００秒」を表す話題時間情報が生成される。
【００２２】
上記のようにして生成された話題時間情報及び実時間情報は録画対象番組のコンテンツとともに記録媒体１６に記録される（Ｓ１６、Ｓ１７）。このとき、記録されるコンテンツのどの位置に対応するのかがわかるように話題時間情報及び実時間情報が記録される。これはチャプターの挿入といった一般的な手法で実現可能である。チャプター挿入は録画中にリアルタイムに行ってもよいし、録画が完了してから行ってもよい。そして、録画終了指示があると録画処理は終了する（Ｓ１９）。
【００２３】
図３は、再生処理のフローを示す。録画した放送コンテンツの再生は、記録媒体１６に記録されている情報を適宜読み出して出力インタフェース１８を介して表示することで行われる。このとき、録画された放送コンテンツの各シーンが、当該シーンに対応付けられて記録された話題時間情報によって表される日付又は時刻の順に並べて見出し表示される（Ｓ２１）。当該シーンに対応する実時間情報を合わせて表示してもよい。そして、見出し表示に対して、入力インタフェース１９を介して利用者によりシーン選択がされると（Ｓ２２）、選択されたシーンの再生が行われる（Ｓ２３）。このように、従来は録画したコンテンツの各シーンが実時間順でしか見出し表示されないのに対して、本実施形態に係る録画再生装置では話題時間順で見出し表示可能となっている。
【００２４】
ステップＳ２１において、複数の話題時間情報が同一の日付又は時刻を表している場合には、これら複数の話題時間情報のいずれか一つを選択的に表示するようにしてもよい。話題時間情報が同じでも実際の放送時間が比較的古いものは、速報性が高く、事件や災害をリアルに伝えていると考えられる。一方、話題時間情報が同じでも実際の放送時間が比較的新しいものは、それまでの放送内容のダイジェストであったり、新たな事実が追加されている可能性がある。したがって、複数の話題時間情報が同一の日付又は時刻を表している場合には、実時間が最も古いものあるいは実時間が最も新しいものを表示するとよい。
【００２５】
また、録画された放送コンテンツにおける各シーンのうち、当該シーンに対応付けられて記録された話題時間情報が当該シーンに対応付けられて記録された実時間情報よりも未来の日付又は時刻を表しているものについては、見出し表示しないことが好ましい。実時間よりも話題時間の方が時間的に進んでいる場合には、当該話題となっている内容は未来の出来事、例えば、番組の予告や天気予報であると考えられる。このような未来の内容は不確定な要素を含み、利用者が求める情報とは異なることが予想される。したがって、未来の内容については敢えて見出し表示する必要ないと考えられる。
【００２６】
図１に戻り、記録部１５は、複数の話題時間情報が同一の日付又は時刻を表している場合には、記録媒体１６に録画対象番組の全編を記録するのではなく、これら複数の話題情報のいずれか一つに対応するシーンのみを記録するものであってもよい。具体的には、記録媒体１６に録画対象番組の全編を記録した後で不要なシーンを一括削除してもよいし、あるいは録画対象番組の録画処理中に不要なシーンを逐次削除してもよい。これにより、記録媒体１６の使用容量を削減することができる。
【００２７】
図４は、不要なシーンを一括削除する場合のフローを示す。まず、入力インタフェース１９を介して利用者により削除条件が入力される（Ｓ３１）。そして、削除条件が入力されると、録画された放送コンテンツから話題時間情報が同じであるシーンが選び出され、その中から削除条件に合致するものが削除される（Ｓ３２）。
【００２８】
一方、図５は、不要なシーンを逐次削除する場合のフローを示す。逐次削除のフローは、図２に示した録画処理のフローに図４に示した削除のフローを組み込んだものとなる。すなわち、まず、入力インタフェース１９を介して利用者により削除条件が入力される（Ｓ３１）。そして、録画処理ループにおいて新たに話題時間情報が生成されたときに、すでに記録されたシーンの中から同一の話題時間情報を有するものが選び出され、削除条件に合致するいずれか一方が削除される（Ｓ３２）。このような逐次削除方式は、一括削除方式と比べて、記録媒体１６における必要な記憶領域が少なくて済む。したがって、記録媒体１６の残り容量が少ない場合に特に有効である。
【００２９】
なお、本実施形態に係る録画再生装置は放送番組の録画及び再生機能を兼ね備えているが、これら機能は録画装置及び再生装置でそれぞれ実行することができる。
【産業上の利用可能性】
【００３０】
本発明に係る記録装置及び再生装置は、同じ情報を繰り返し伝達するテレビジョン放送番組を後で効率よくその放送内容が把握できるように録画及び再生することができるため、地上デジタルテレビジョン放送の録画再生装置として有用である。
【図面の簡単な説明】
【００３１】
【図１】本発明の最良の実施形態に係る録画装置及び再生装置の構成図である。
【図２】録画処理のフローチャートである。
【図３】再生処理のフローチャートである。
【図４】不要なシーンを一括削除する場合のフローチャートである。
【図５】不要なシーンを逐次削除する場合のフローチャートである。
【符号の説明】
【００３２】
１３  字幕解析部
１４  内部時計
１５  記録部
１６  記録媒体
１７  再生部
【図１】
2008244790.tif 000003
【図２】
2008244790.tif 000004
【図３】
2008244790.tif 000005
【図４】
2008244790.tif 000006
【図５】
2008244790.tif 000007